(57)【要約】【課題】別体型の外部アンテナを用いる場合に、装置内部における内蔵アンテナと外部アンテナとの接続の切り替えを簡素な構造で実現する。【解決手段】ケーシング１１と、アンテナ回路１２と、内蔵アンテナ１３と、外部アンテナ１４と、外部磁石３２と、内部磁石４２と、内部磁石４２を揺動可能に保持する弾性部材４１と、内蔵アンテナ１３と電気的に接続する接点３０とを備え、外部アンテナ１４が取り付けられている場合には、内部磁石４２が弾性部材４１の付勢力に抗して変位し、弾性部材４１と接点３０とが非接触となり、アンテナ回路１２と外部アンテナ１４とが電気的に接続される。【選択図】図１
2012109782.tif 000002
【特許請求の範囲】
【請求項１】
ケーシングと、
前記ケーシング内に設置され、無線通信に必要な処理を行うアンテナ回路と、
前記ケーシング内に設置された内蔵アンテナと、
前記ケーシングとは別体をなし、前記ケーシングの外面に設けられた取付部に着脱可能な外部アンテナと、
前記外部アンテナの前記取付部に対峙する部分に設けられ、導電性を有する外部磁石と、
前記ケーシング内に設置され、導電性を有する内部磁石と、
前記ケーシング内において前記内部磁石を揺動可能に保持し、導電性を有する弾性部材と、
前記ケーシング内において前記内蔵アンテナと電気的に接続する接点と、
を備え、
前記外部アンテナが前記取付部に取り付けられていない場合には、前記弾性部材が前記接点に接触し、前記弾性部材を介して前記アンテナ回路と前記内蔵アンテナとが電気的に接続し、
前記外部アンテナが前記取付部に取り付けられている場合には、前記外部磁石の磁力により前記内部磁石が前記弾性部材の付勢力に抗して変位し、前記弾性部材と前記接点とが非接触となり、前記外部磁石と前記内部磁石との間の容量結合を介して前記アンテナ回路と前記外部アンテナとが電気的に接続される、
無線通信装置。
【請求項２】
前記外部アンテナは、前記内部アンテナと同様の用途に用いられる、
請求項１に記載の無線通信装置。
【請求項３】
前記弾性部材は、前記アンテナ回路と接続する固定点と、前記接点に接触する解放点とを有し、
前記内部磁石は、前記解放点に固定される、
請求項１又は２に記載の無線通信装置。
【請求項４】
前記外部磁石及び前記内部磁石は、互いに引き付け合う磁極向きとなるように配置され、
前記外部アンテナが前記取付部に取り付けられた時に、前記内部磁石が前記ケーシング１１の前記取付部の内壁面に接触するように変位する、
請求項１〜３のいずれか１つに記載の無線通信装置。
【請求項５】
前記弾性部材は、板ばねである、
請求項１〜４のいずれか１つに記載の無線通信装置。
【請求項６】
前記外部アンテナは、ロングワイヤ型である、
請求項１〜５のいずれか１つに記載の無線通信装置。
【請求項７】
前記外部アンテナは、ロッド型である、
請求項１〜５のいずれか１つに記載の無線通信装置。
【請求項８】
防水機能を備える、
請求項１〜７のいずれか１つに記載の無線通信装置。
【請求項９】
携帯電話である、
請求項１〜８のいずれか１つに記載の無線通信装置。
【発明の詳細な説明】
【技術分野】
【０００１】
本発明は、無線通信装置に関し、特に外部アンテナとの接続構造に関するものである。
【背景技術】
【０００２】
携帯電話等の無線通信装置において、内蔵アンテナの性能不足を補うために、外部アンテナが利用されている。
【０００３】
特許文献１には、無線通信装置において、本体の筺体に着脱可能な外部アンテナを備え、当該着脱構造に磁石を利用する構成が例示されている。
【０００４】
特許文献２には、上記特許文献１と同様に、本体内部の給電点と外部アンテナとを磁石を利用して接続する構成が開示され、これにより防水性を向上させることができる点について言及されている。
【０００５】
特許文献３には、本体に内蔵される内蔵アンテナと、前記本体と一体的に構成され伸縮可能な構造を有する外部アンテナとを備える無線通信装置が開示されている。当該無線通信装置においては、前記外部アンテナが収納されている時には、マッチング回路と前記内蔵アンテナとが接続し、前記外部アンテナが引き出された時には、前記マッチング回路と前記内蔵アンテナとの接続が切断され、前記マッチング回路と前記外部アンテナとが接続する。当該外部アンテナの収納／引き出し動作に伴う前記マッチング回路と前記両アンテナとの接続の切り替えには、前記外部アンテナの伸縮に伴い変位する磁石、当該磁石に近接に応じて開閉するリードスイッチ、前記本体内部において前記外部アンテナの動作を物理的に保持する機構等が利用されている。
【先行技術文献】
【特許文献】
【０００６】
【特許文献１】特開２００７−１５０８６３号公報
【特許文献２】特開２００８−２１９５３７号公報
【特許文献３】特開平１−２００７０３号公報
【発明の概要】
【発明が解決しようとする課題】
【０００７】
上記特許文献３においては、前記外部アンテナの使用／不使用に応じて、前記マッチング回路と接続する前記両アンテナが適切に切り替えられる。しかしながら、前記外部アンテナが本体と一体的に構成され伸縮可能な構造を有するものであるため、前記本体内部において、前記外部アンテナの収納スペース、前記物理的保持機構、収納時における前記マッチング回路と前記外部アンテナとの絶縁構造等が必要となる。
【０００８】
そこで、本発明は、別体型の外部アンテナを用いる場合に、装置内部における内蔵アンテナと外部アンテナとの接続の切り替えを、簡素な構造で実現することを課題とする。
【課題を解決するための手段】
【０００９】
本発明の一態様は、ケーシングと、前記ケーシング内に設置され、無線通信に必要な処理を行うアンテナ回路と、前記ケーシング内に設置された内蔵アンテナと、前記ケーシングとは別体をなし、前記ケーシングの外面に設けられた取付部に着脱可能な外部アンテナと、前記外部アンテナの前記取付部に対峙する部分に設けられ、導電性を有する外部磁石と、前記ケーシング内に設置され、導電性を有する内部磁石と、前記ケーシング内において前記内部磁石を揺動可能に保持し、導電性を有する弾性部材と、前記ケーシング内において前記内蔵アンテナと電気的に接続する接点とを備え、前記外部アンテナが前記取付部に取り付けられていない場合には、前記弾性部材が前記接点に接触し、前記弾性部材を介して前記アンテナ回路と前記内蔵アンテナとが電気的に接続し、前記外部アンテナが前記取付部に取り付けられている場合には、前記外部磁石の磁力により前記内部磁石が前記弾性部材の付勢力に抗して変位し、前記弾性部材と前記接点とが非接触となり、前記外部磁石と前記内部磁石との間の容量結合を介して前記アンテナ回路と前記外部アンテナとが電気的に接続される無線通信装置である。
【発明の効果】
【００１０】
本発明によれば、別体型の外部アンテナを用いる場合に、装置内部における内蔵アンテナと外部アンテナとの接続の切り替えを、極めて簡素且つ安価な構造で実現することが可能となる。
【図面の簡単な説明】
【００１１】
【図１】本発明の実施の形態１に係る携帯電話の構成において外部アンテナが取り付けられていない状態を示している。
【図２】本発明の実施の形態１に係る携帯電話の構成において外部アンテナが取り付けられている状態を示している。
【発明を実施するための形態】
【００１２】
実施の形態１
以下、図面を参照して本発明の実施の形態について説明する。図１は、本発明の実施の形態１に係る携帯電話１の構成において外部アンテナ１４が取り付けられていない状態を示している。前記携帯電話１は、ケーシング１１、アンテナ回路１２、内蔵アンテナ１３、前記外部アンテナ１４、及び切替部１５を備えている。
【００１３】
前記ケーシング１１は、樹脂等から構成され、内部に前記アンテナ回路１２を含む各種電子部品を収納する。前記ケーシング１１の外面の一部には、前記外部アンテナ１４を取り付けるための取付部２１が設けられている。また、本実施の形態に係るケーシング１１には、防水性を向上させるための処理、例えば接合部分の気密加工等が施されていることが好ましい。
【００１４】
前記アンテナ回路１２は、前記内蔵アンテナ１３又は前記外部アンテナ１４を介して送受信される電波に対して各種処理を行う。
【００１５】
前記内蔵アンテナ１３は、前記ケーシング１１の内部に固定され、通話、電子メール送受信、インターネット接続等の通信に利用される。前記内蔵アンテナ１３の一端部は、前記切替部１５の一部を構成する接点３０と接続している。
【００１６】
前記外部アンテナ１４は、前記ケーシング１１と別体をなし、前記内蔵アンテナ１３による受信電界強度が小さい場合に、前記内蔵アンテナ１３に代わって強い受信電界強度を得るために利用されるものである。本実施の形態に係る外部アンテナ１４は、ロングワイヤ３１及び外部磁石３２を備えている。前記外部磁石３２は、前記取付部２１に対峙するように取り付けられる。
【００１７】
前記切替部１５は、板ばね４１及び内部磁石４２を備えている。前記板ばね４１の一端は固定点４３に固定され、その他端には前記内部磁石４２が固定されている。前記板ばね４１は、前記固定点４３を起点として前記内部磁石４２側の端部を図中上下方向に撓むと、図１に示す状態に戻ろうとする弾性力を発生する。前記固定点４３は、前記アンテナ回路１２と接続する導線４４と接続する。前記板ばね４１、前記内部磁石４２、及び固定点４３は、全て導電性を有し、導線４４を介して前記アンテナ回路１２と電気的に接続している。図１に示す状態、即ち前記外部アンテナ１４が前記取付部２１に取り付けられていない状態においては、前記板ばね４１又は前記内部磁石４２は前記接点３０に接触している。従って、この状態においては、前記アンテナ回路１２は前記内蔵アンテナ１３を介して通信処理を行う。
【００１８】
図２は、前記携帯電話１の構成において前記外部アンテナ１４が取り付けられた状態を示している。前記外部アンテナ１４が前記取付部２１に取り付けられると、前記外部磁石３２の磁力により、前記内部磁石４２が図中上方に引き付けられ、前記板ばね４１の弾性力に抗して上方に変位し、前記ケーシング１１の内壁に接する。この時、前記内部磁石４２及び前記板ばね４１は、前記接点３０から離間する。これにより、前記アンテナ回路１２と前記内蔵アンテナ１３との間の電気的接続は切断する。一方、前記外部磁石３２と前記内部磁石４２とが容量結合した状態となり、前記アンテナ回路１２と前記外部アンテナ１４とが電気的に接続した状態となる。これにより、前記アンテナ回路１２は前記外部アンテナ１４を介して通信処理を行う。
【００１９】
その後、前記外部アンテナ１４を前記取付部２１から取り外すと、前記板ばね４１の弾性力により前記内部磁石４２又は前記板ばね４１は前記接点３０に接触する。これにより、前記アンテナ回路１２は再び前記内蔵アンテナ１３による通信処理を行う。
【００２０】
上記構成によれば、極めて簡素且つ安価な構成により、前記ケーシング１１内に収納スペース等を設ける必要のない前記外部アンテナ１４を用いることができると共に、前記内蔵アンテナ１３と前記外部アンテナ１４とを適切に切り替える機構（前記切替部１５）を備えることができる。このような切替部１５を用いることにより、リードスイッチ等を不要にすることができる。また、前記外部アンテナ１４は非接触接続（容量結合）をするため、前記取付部２１に気密処理を施すことが容易となる。従って、装置に防水性を付与する場合に特に好適となる。
【００２１】
尚、本発明は上記実施の形態に限られるものではなく、趣旨を逸脱しない範囲で適宜変更することが可能である。例えば、上記実施の形態においては、無線通信装置として携帯電話１を例示したが、本願発明は無線通信機能を備える各種機器に適用可能なものである。
【符号の説明】
【００２２】
１  携帯電話
１１  ケーシング
１２  アンテナ回路
１３  内蔵アンテナ
１４  外部アンテナ
１５  切替部
２１  取付部
３０  接点
３２  外部磁石
４１  板ばね
４２  内部磁石
４３  固定点
【図１】
2012109782.tif 000003
【図２】
2012109782.tif 000004